(57)【要約】      （修正有） 【課題】オクラを袋体内に体裁よく収納することを可能とし、袋体内で不用意にがたつきを起こさず、更には収納をしやすくするオクラ用袋体の提供。【解決手段】オクラを封入するための樹脂製袋体であり、袋体の内部空間の上辺部を融着部によって弧状に融着して弧状辺を有し、上部に向かって袋体内部の空間を徐々に幅狭に構成したオクラ用袋体。【選択図】図１
0003123358.tif 000002
【実用新案登録請求の範囲】
【請求項１】
オクラを封入するための樹脂製袋体であって、袋体１の内部空間の上辺部を融着部２によって弧状に融着して弧状辺２１を有し、上部に向かって袋体内部の空間を徐々に幅狭に構成したことを特徴とするオクラ用袋体。
【請求項２】
融着部による弧状の融着に代え、溶着部による弧状の溶着であることを特徴とする請求項１記載のオクラ用袋体。
【請求項３】
融着部による弧状の融着に代え、接着部による弧状の接着であることを特徴とする請求項１記載のオクラ用袋体。
【請求項４】
袋体表面に多数の孔１６を有し、通気を確保したことを特徴とする請求項１乃至３のいずれかに記載のオクラ用袋体。
【請求項５】
袋体上部にヘッダー表示部５を有することを特徴とする請求項１乃至４のいずれかに記載のオクラ用袋体。
【請求項６】
袋体がネット袋により構成されていることを特徴とする請求項１乃至３、５のいずれかに記載のオクラ用袋体。
【考案の詳細な説明】
【技術分野】
【０００１】
本考案は袋体の考案に関し、より具体的には合成樹脂フィルムを溶着した構成したオクラ用の袋体に関する。
【背景技術】
【０００２】
従来よりオクラ用の袋体に関しては、そのネット袋又は有孔フィルムシート袋を用いられている。
この袋体の構成は両側及び底部を融着することによって袋体の側部と底部を構成すると共に上部開口を設けて構成するものである。
この様な袋体の上部開口部よりオクラを封入し、該開口部を封鎖し、或いは該開口部にヘッダー部を有してこれによって併せて封鎖するものもある。
従って、かかる袋体の例として特開平１０−８１３４５（特許文献１）の図面において示す構成が存在する。
【０００３】
更に、特開平１１−３０１６９２（特許文献２）に示す底部を折り曲げ、側部を溶着して構成したネット袋も存在する。
封鎖構造として特開２０００−６２８０９（特許文献３）に示すヘッダー部の粘着部材による封鎖構造も存在する。
或いはネット袋として特開２０００−２５５５８８（特許文献４）、特開２００２−１６０７４３（特許文献５）、特開２００３−６３５４０（特許文献６）、特開２００４−６７１２３（特許文献７）、特開２００４−１９６３５３（特許文献８）など多種のネット袋が用いられてきているものである。  
【特許文献１】特開平１０‐８１３４５
【特許文献２】特開平１１−３０１６９２
【特許文献３】特開２０００−６２８０９
【特許文献４】特開２０００−２５５５８８
【特許文献５】特開２００２−１６０７４３
【特許文献６】特開２００３−６３５４０
【特許文献７】特開２００４−６７１２３
【特許文献８】特開２００４−１９６３５３
【考案の開示】
【考案が解決しようとする課題】
【０００４】
以上の様に、ネット袋は封入すべき内容物に対して、その通気性を保つと共に封鎖を可能とし、更にはヘッダー部などにおける商品に関する表示部分をいかにきっちりと用いるかが極めて大きな問題であった。
しかし、この様な袋体は、底部と側部とを折り曲げ又は溶着構成として袋体を構成するものであり、全てほぼ一定の四角形状の袋体よりなるものである。
【０００５】
従って、この略四角形状内に収まりよく封入することによって体裁よく袋詰めしていることとなる。
しかし、オクラなどのように略角錐形状の野菜類に関しては、四角の袋体内に入れた場合に不ぞろいに入れると体裁が悪くなることからそろえて入れることとなる。
【０００６】
この場合オクラの蔕部分に関しては幅広が必要となる反面先端部分は幅狭となってしまうこととなり、袋体内への収まりが極めて悪いものとなる。
この場合交互に反対方向に向けて収納する方法もあるが封入時の手間が大変であり、更には形状によっては収まりがよくない場合もありうる。
これらより、この様なオクラの独特の形状に合致した何らかの袋体の提供が望まれている。
【課題を解決するための手段】
【０００７】
かかる課題を解決するために、本考案に係る請求項１に記載の考案は、オクラを封入するための樹脂製袋体であって、袋体の内部空間の上辺部を融着部によって弧状に融着し、上部に向かって袋体内部の空間を徐々に幅狭に構成したオクラ用袋体よりなり、かかる袋体によって前記課題を達成できる。
又、請求項２に係る考案のように融着部による弧状の融着に代え、溶着部による弧状の溶着でもよく、請求項３に係る考案のように、接着部による弧状の接着でもよい。
【０００８】
或いは請求項４に係る考案のように袋体表面に多数の孔を有し、通気を確保したオクラ用袋を用いても、又、請求項５に係る考案のように袋体上部にヘッダー表示部を有するオクラ用袋でもよい。
更には、請求項６に係る考案のように袋体がネット袋により構成されているオクラ用袋を用いても同様である。
【考案の効果】
【０００９】
以上のように構成することによって、請求項１にかかる考案によって内部空間の上辺部を融着部によって弧状に融着することにより上部空間が徐々に幅狭になり、これに沿ってオクラの先端部の細径部分を該上部に位置させることができ、蔕部分の太径の部分を袋体の中央部分に位置させることができる。
従って、袋体内に封入したオクラの形状に沿った内部空間を袋体内に形成でき、体裁よくかつ容易にオクラを封入できることとなる。
【００１０】
このことは袋体の封鎖段階でお蔵がしっかりと袋体内に位置決めされて封入されることとなるものであり、不用意にずれたりすることによるオクラの破損を防げるばかりでなく、体裁のよい袋詰めを可能にする。
更には封入時においても簡単にしっかりとオクラを定位置に袋詰めできることであり、袋詰めの容易化迅速化等を図ることができるものである。
【００１１】
又、請求項２に係る考案のように融着に変えて溶着によって構成しても、或いは請求項３にかかる考案のように接着によって構成した袋体であっても同様に前記効果を発揮できる。
或いは請求項４に係る考案によって、該袋体の通気性の向上が図れることとなる。  又、請求項５に係る考案によって、該上部表面にヘッダー表示を表出できることとなり、より体裁のよい袋体の提供を可能とする。
更には、請求項６に係る考案によって、ネット袋を用いても同様に各課題を解決できる袋体の提供を可能とする。
【考案を実施するための最良の形態】
【００１２】
図1は、本考案に係る袋体の一例を示す図である。
袋体１を構成する樹脂製シート地を重ねて側部と上部を融着して融着部２を構成することによって形成したものである。
かかる場合、特に上部においては袋体の内部について内部輪郭として弧状２１に傾斜して融着しているものである。
従って、上部両角部に関しては、四隅を融着した上で上部を封鎖していると共に袋体１の内部を構成する上辺部はその両角部が弧状２１に湾曲状態に融着しているものである。
本図構成において袋体内部上辺部は直線形状であるが、これに限らず袋体内部の両辺部から弧状に湾曲して弧状辺によって融着部２が形付けられているものであってよい。
【００１３】
尚、上部両角部方向に非融着部３を有するが、この部分は袋体の融着に際する歪みやズレなどをこの部分で調整し、袋体のゆがみやしわを防ぐための非融着部である。
従って、係る非融着部３は必ずしも有することが必要ではなく、融着状態などによって任意に設ければよいものであり、その位置や形状大きさは袋体や融着形状などに応じて適宜定めればよいものである。
袋体下部には内容物即ちオクラを入れるための開口部１３を有する。
更に、該開口部方向には、一のフィルムに閉鎖用封鎖片１５が突出して形成されており、該封鎖片１５にはその一面に接着部材を有しており、剥離片４で接着面を覆っているものである。
【００１４】
従って、該開口部からオクラを袋体内に封入した上で、封鎖片１５の剥離片４をはがして接着部材を表出させた上で、該封鎖片部分１５又はこの部分を含んで袋体１下部方向を折り曲げて対向フィルムに該接着部材で接着することによって袋体の開口部を封鎖できるものである。
この場合、融着部２の袋体１内部上辺部が弧状２１に湾曲して形成されていることから袋体の上部が徐々に幅狭となるように構成されることとなる。
従って略角錐形状のオクラなどの一端部分が細くなる野菜類に関しては、先端部の幅狭部分を袋体１上部に向けて、またオクラの蔕部分を下部に向けて多数そろえて封入した場合には、該内部溶着部の弧状辺２１に沿って体裁よく収まることとなる。
【００１５】
以上より、オクラを袋体内に入れやすいばかりでなく体裁よく収まり、見栄えがよくなると共にオクラを 痛まずに袋体内に入れておくことができる。
尚、袋体は２枚のフィルムを重ねて溶着して構成したものに限らず一枚のフィルムを適宜折り曲げて必要箇所を溶着して溶着部を構成したものであってもよい。
更に、本図に示すように袋体に多数の孔１６を有するフィルムを用いたものであっても、或いはフィルム自体がネットによって構成されるネット袋であってもよい。
少なくとも融着可能な樹脂フィルム乃至シートあるいはネット地を用いて構成したものであればよい。
又、融着部の形成に関しては熱融着や超音波融着或いは圧着等又はその他の各種方法による融着であればよく、更には溶着であってももちろんよく、更には接着部材を用いた接着によって構成されるものであってもよい。
【００１６】
図２は、袋体１の上部外表面にヘッダー表示５を印刷明示した一例を示す図である。
この様に構成すると袋体として極めて見栄えのよい袋体を構成できるものであり、特にオクラに最も適した袋体として提供できる。
尚、融着乃至溶着、接着している融着部は袋体自体が密着して形成されていることからその部分は外部からは視認しにくいものであり、ヘッダー表示部分５が最もよく目に付くこととなる。
尚、本図に示すヘッダー表示部５は袋体の表面に印刷した一例を示すが、これに限らずヘッダー部を別途用意して袋体に接着などすることによって配設するものであってももちろんよい。
【００１７】
図３は、図２に示す袋体１内にオクラＯを入れて封鎖片１５を用いて封鎖した状態を示す図であり、オクラＯを袋体内に体裁よく封入している状態を示す図である。
本図に示すように蔕部分が太く、先端に向かって徐々に細くなると共に若干湾曲しているオクラＯの形状に合致し、多数本をそろえて袋体内に入れることができ、特に先端部を弧状辺２１の湾曲した融着部２方向に向けて入れることによって、徐々に細くなるオクラの先端に沿って袋体の上部が幅狭になって対応でき、体裁のよい封入ができる。 
【図面の簡単な説明】
【００１８】
【図１】本考案に係る袋体の一例を示す図
【図２】袋体の上部外表面にヘッダー表示を印刷明示した一例を示す図
【図３】袋体内にオクラを入れて封鎖片を用いて封鎖した状態を示す図
【符号の説明】
【００１９】
１、袋体
１０、上部
１１、側部
１２、下部
１３、開口部
１５、封鎖片
１６、孔
２、融着部
２１、弧状辺
３、非融着部
４、剥離片
５、ヘッダー表示部
Ｏ、オクラ     
【図１】
0003123358.tif 000003
【図２】
0003123358.tif 000004
【図３】
0003123358.tif 000005